(57)【要約】【課題】  樹脂製メガネフレームのフロント部に鼻当てパットを取付ける取付け構造の提供。【解決手段】  フロント部１に設けた嵌合溝１８に嵌合部７を嵌めて蝶足６を固定し、この蝶足６の取付け部８には鼻当てパット３の脚部１５を取付け、そして、上記蝶足６は金属製の板材を打抜き又は切断して製作したものである。上記嵌合部７は間にスリット溝１１を形成した２本の脚１０，１０を有し、脚先端にはツメ１２，１２を外側へ設けた形状とし、嵌合溝１８に嵌った嵌合部７の脚先端のツメ１２，１２を内側面１９，１９に食い込ませる。【選択図】    図４
0003131526.tif 000002
【実用新案登録請求の範囲】
【請求項１】
樹脂製メガネフレームのフロント部を鼻両脇に当てて支持する為の鼻当てパットの取付け構造において、フロント部に設けた嵌合溝に嵌合部を嵌めて蝶足を固定し、この蝶足の取付け部には鼻当てパットの脚部を取付け、そして、上記蝶足は金属製の板材を打抜き又は切断して製作したもので、上記嵌合部は間にスリット溝を形成した２本の脚を有し、脚先端にはツメを外側へ設けた形状とし、嵌合溝に嵌った嵌合部の脚先端のツメを内側面に食い込ませたことを特徴とする鼻当てパットの取付け構造。
【請求項２】
上記取付け部には穴を設け、この穴に鼻当てパットの脚部を嵌めて取付けた請求項１記載の鼻当てパットの取付け構造。
【考案の詳細な説明】
【技術分野】
【０００１】
本考案は樹脂製メガネフレームの鼻当てパットの取付け構造に関するものである。
【背景技術】
【０００２】
メガネはフロント部とツルを有し、フロント部にはレンズが取付けられている。レンズの取付け方法にも色々あり、最も基本的で昔から用いられているものに、フロント部を構成しているリムにレンズを嵌めて取付ける方法である。又、リムを上側半分のハーフリムとし、下側には水糸などの高張力糸によってレンズを保持する方式もあり、さらにはリムを用いることなく左右のレンズを連結部材により直接ネジ止めし、レンズ外側にはヨロイをネジ止めした構造も一般的に多用されているレンズ取付け構造である。
【０００３】
ところで、このようにレンズを備えたフロント部は顔の正面に支持され、ヨロイから後方へ延びるツルは耳に掛けられる。フロント部を顔の正面に支持する為に、該フロント部の中央には鼻当てパットが対を成して取付けられ、この鼻当てパットが鼻の両脇に当って該フロント部を所定の位置(高さ)に保持することが出来る。
【０００４】
ところで、金属製のメガネフレームの場合にはレンズが嵌るリムの内側に湾曲した脚をロウ付けし、この脚先端にロウ付けした箱に鼻当てパット背面から突出した止着片をネジ止めしている。この場合、鼻当てパットが鼻に当ってなじむことが出来るように多少のアガキを有し、その向きが変化して鼻両脇にフィットすることが出来る。しかも、メガネを購入する場合、鼻にフィットするように上記脚を適度に曲げて鼻当てパットの位置を調整することも一般に行われている。
【０００５】
一方、樹脂製メガネフレームの場合には、フロント部と一体化した鼻当てパットが成形されているが、その為に該鼻当てパットの位置調整は不可能である。従って、メガネを掛ける場合にフロント部の高さが定まらないことが発生する。図６はフロント部のリム内側(中央部)に形成している鼻当てパット（イ）を表しているが、このように、フロント部の一部として成形されている。
【０００６】
そして、フロント部の一部として成形される鼻当てパット（イ）は硬くて、鼻の感触が好ましくない。すなわち、クッション性がない為に鼻で支えるフロント部が重く感じる。また、激しい運動を行う際にはフロント部の落ち着きが悪く、位置ズレすることが多い。
【考案の開示】
【考案が解決しようとする課題】
【０００７】
このように、従来の鼻当てパット取付け構造には上記のごとき問題がある。本考案が解決しようとする課題はこれら問題点であって、樹脂製メガネフレームのフロント部に簡単に取付けることが出来る鼻当てパットの取付け構造を提供する。
【課題を解決するための手段】
【０００８】
本考案に係る鼻当てパット取付け構造は、金属製の蝶足に鼻当てパットが取付けられる。該蝶足は嵌合部と取付け部から成り、嵌合部は間にスリット溝を形成した２本の脚を有し、該脚の先端にはツメが外側に向いて形成されている。そこで、フロント中央部には嵌合溝を設け、この嵌合溝に嵌合部を嵌めて蝶足が取付けられ、この場合、２本の脚は内側へ撓み変形して嵌合溝に嵌り、脚先端のツメは嵌合溝の内側面に食い込んで固定される。
【０００９】
鼻当てパットは樹脂製で、シリコン樹脂のような軟らかいものを使用することもあり、鼻に当るパット部と脚部で構成している。この脚部が蝶足の取付け部に嵌合して取付けられる。ここで、蝶足の取付け部側に設けた穴に脚部を嵌合する場合、又は脚部側に形成した穴に取付け部を嵌める場合の何れでもよい。
【考案の効果】
【００１０】
本考案に係る鼻当てパットの取付け構造はフロント部に蝶足を取付け、この蝶足に鼻当てパットを取付けて構成している。蝶足に設けた嵌合部は間にスリット溝を有す２本の脚から成り、この脚がフロント部の嵌合溝に嵌ることで固定される。この場合、嵌合部が嵌合溝に嵌る深さを調整することで蝶足に取付けられる鼻当てパットの位置が変わり、鼻の両脇にフィットさせることが出来る。鼻当てパットはパット部と脚部を有し、この脚部が蝶足の取付け部に嵌合して取付けることが出来、パット部の形状は色々変えることも出来る。
【実施例】
【００１１】
図１は樹脂製メガネフレームを示す外観図であり、同図の１はフロント部、２はツル、３は鼻当てパットを示している。フロント部１は両リム４，４と連結部５を有した一体成形品であり、ツル２，２はフロント部１の両側端に継手を介して折畳み出来るように取付けられている。ツル２，２の先端部は耳に係止可能なように湾曲し、フロント部１の中央部には鼻当てパット３，３が対を成して取付けられている。
【００１２】
ところで、上記鼻当てパット３はフロント部１と一体成形されたものではなく、独立部品としての鼻当てパット３が取付けられている。図２はこの鼻当てパット３を取付ける蝶足６を示す実施例であり、該蝶足６は金属板(ステンレス板、チタン板など)を所定の形状に打ち抜いたり、又は切断したものである。該蝶足６は嵌合部７と取付け部８を有し、嵌合部７と取付け部８は連結部９にて繋がれている。
【００１３】
そして、嵌合部７は２本の脚１０，１０を有し、両脚１０，１０の間にはスリット溝１１を形成し、脚先端には外方向にツメ１２，１２を設けている。又、取付け部８は中央に穴１３を有す概略長円形をしている。嵌合部７はフロント部１に設けた嵌合溝に嵌り、取付け部８の穴１３には上記鼻当てパット３が取付けられる。
【００１４】
図３は鼻当てパット３を示す具体例であり、該鼻当てパット３は樹脂製で、例えば軟らかいシリコン樹脂を使用することが出来る。そして、鼻当てパット３はパット部１４と脚部１５から成り、一体成形されている。パット部１４の表面１６は滑らかな凸面を成し、内側(フロント部中央側)へは大きく湾曲した形状と成っている。
【００１５】
脚部１５は上記蝶足６の取付け部８の穴１３に嵌って取付けられ、その為に、脚部断面は穴１３の形状としている。そして、該穴１３から抜けないように脚部１５の先端には外形を大きくしたツバ１７を有している。ところで、取付け部８に鼻当てパット３を取付ける場合には、ツバ１７を圧縮変形して穴１３に脚部１５が嵌る。
【００１６】
図４はフロント部１に設けた嵌合溝１８に嵌合部７を嵌めて蝶足６を取付ける場合であり、嵌合部７の両脚１０，１０は内側へ撓み変形して押込まれる。(ａ)は嵌合部７が嵌合溝１８の中程まで押込まれた場合であり、(ｂ)は嵌合溝１８の底まで押込まれた場合を示している。嵌合溝１８の溝幅は嵌合部７の板厚とし、(ｂ)のように嵌合した嵌合部７はガタ付くことなく安定する。
【００１７】
そして、所定の深さまで嵌った嵌合部７は、両脚先端のツメ１２，１２が嵌合溝１８の内側面１９，１９に食い込んで引いても外れることはない。ところで、一般には嵌合溝１８の底まで嵌合部７を押込んで取付けられるが、底との間に隙間を残して取付けることもある。嵌合部７を嵌合溝１８の底まで押込むならば、両鼻当てパット３，３の距離は大きくなり、逆に嵌合部７を嵌合溝１８の底に隙間を残して押込むならば、両鼻当てパット３，３の距離は小さくなる。
【００１８】
図５は鼻２０の両脇に鼻当てパット３，３が位置している場合であり、上記嵌合部７を嵌合溝１８へ押込む深さに応じて両鼻当てパット３，３の位置調整が可能と成る。すなわち、鼻２０の形状によって鼻当てパット３，３が調整され、鼻両脇にフィットすることが出来る。
【図面の簡単な説明】
【００１９】
【図１】樹脂製メガネフレーム。
【図２】鼻当てパットを取付ける蝶足を示す実施例。
【図３】鼻当てパットの具体例。
【図４】フロント部に設けた嵌合溝に蝶足を取付ける場合。
【図５】鼻の両脇に鼻当てパットが位置している場合。
【図６】樹脂製メガネフレームの従来の鼻当てパット。
【符号の説明】
【００２０】
１  フロント部
２  ツル
３  鼻当てパット
４  リム
５  連結部
６  蝶足
７  嵌合部
８  取付け部
９  連結部
10  脚
11  スリット溝
12  ツメ
13  穴
14  パット部
15  脚部
16  表面
17  ツバ
18  嵌合溝
19  側面
20  鼻
【図１】
0003131526.tif 000003
【図２】
0003131526.tif 000004
【図３】
0003131526.tif 000005
【図４】
0003131526.tif 000006
【図５】
0003131526.tif 000007
【図６】
0003131526.tif 000008
【手続補正書】
【提出日】平成19年3月5日(2007.3.5)
【手続補正１】
【補正対象書類名】実用新案登録請求の範囲
【補正対象項目名】全文
【補正方法】変更
【補正の内容】
【実用新案登録請求の範囲】
【請求項１】
樹脂製メガネフレームのフロント部を鼻両脇に当てて支持する為の鼻当てパットの取付け構造において、フロント部に設けた嵌合溝に嵌合部を嵌めて蝶足を固定し、この蝶足の取付け部には鼻当てパットの脚部を取付け、そして、上記蝶足は金属製の板材を打抜き又は切断して製作したもので、上記嵌合部は間にスリット溝を形成した２本の脚を有し、脚先端にはツメを外側へ設けた形状とし、嵌合溝に嵌った嵌合部の脚先端のツメを内側面に食い込ませたことを特徴とする樹脂製メガネフレームの鼻当てパットの取付け構造。
【請求項２】
上記取付け部には穴を設け、この穴に鼻当てパットの脚部を嵌めて取付けた請求項１記載の樹脂製メガネフレームの鼻当てパットの取付け構造。